(57)【要約】【課題】撮影指示後における記録用の露出制御値を適切に見直すこと。【解決手段】撮像装置１００は、撮像光学系１を通して被写体像を撮像する撮像部１０と、撮像光学系１の焦点調節状態を検出し、焦点位置へ撮像光学系１の駆動を指示する焦点調節制御部１７と、焦点調節制御部１７による焦点調節の前に被写体輝度に基づいて撮影用の露出制御値および焦点調節用の露出制御値をそれぞれ算出する露出演算部１４、１５と、焦点調節用の露出制御値を適用して焦点調節を行うように焦点調節制御部１７を制御するとともに、撮影用の露出制御値を適用して画像を取得するように撮像部１０を制御する制御部１９と、撮影指示に応じて撮影用の露出制御値を再度算出するか否かを判定する判定部１９と、を備え、制御部１９は、判定部１９によって再度算出する旨の判定がなされた場合は、焦点調節の後に露出演算部１４、１５が算出した撮影用の露出制御値を適用して撮像部１０に画像を取得させる。【選択図】図１
2015162725.tif 000002
【特許請求の範囲】
【請求項１】
撮像光学系を通して被写体像を撮像する撮像部と、
前記撮像光学系の焦点調節状態を検出し、焦点位置へ前記撮像光学系の駆動を指示する焦点調節制御部と、
前記焦点調節制御部による焦点調節の前に被写体輝度に基づいて撮影用の露出制御値および焦点調節用の露出制御値をそれぞれ算出する露出演算部と、
前記焦点調節用の露出制御値を適用して焦点調節を行うように前記焦点調節制御部を制御するとともに、前記撮影用の露出制御値を適用して画像を取得するように前記撮像部を制御する制御部と、
撮影指示に応じて前記撮影用の露出制御値を再度算出するか否かを判定する判定部と、を備え、
前記制御部は、前記判定部によって前記再度算出する旨の判定がなされた場合は、前記焦点調節の後に前記露出演算部が算出した前記撮影用の露出制御値を適用して前記撮像部に画像を取得させることを特徴とする撮像装置。
【請求項２】
請求項１に記載の撮像装置において、
前記制御部は、操作部材の半押し操作を示す信号に応じて前記焦点調節を行うように前記焦点調節制御部を制御するとともに、前記操作部材の全押し操作を示す信号に応じて画像を取得するように前記撮像部を制御し、
前記判定部は、前記全押し操作を示す信号に応じて前記撮影用の露出制御値を再度算出するか否かを判定することを特徴とする撮像装置。
【請求項３】
請求項２に記載の撮像装置において、
前記判定部は、前記半押し操作を示す信号と前記全押し操作を示す信号とを略同時に受けた場合に前記再度算出する旨を判定することを特徴とする撮像装置。
【請求項４】
請求項２に記載の撮像装置において、
前記判定部は、前記焦点調節制御部による前記焦点調節の前後における前記撮像光学系の焦点距離の変化に応じて前記再度算出する旨を判定することを特徴とする撮像装置。
【請求項５】
請求項２に記載の撮像装置において、
前記判定部は、前記焦点調節制御部による前記焦点調節の後における被写界深度に応じて前記再度算出する旨を判定することを特徴とする撮像装置。
【請求項６】
請求項２に記載の撮像装置において、
前記判定部は、
前記半押し操作を示す信号と前記全押し操作を示す信号とを略同時に受け、
かつ前記焦点調節制御部による前記焦点調節の前後で前記撮像光学系の焦点距離が変化し、
かつ前記焦点調節制御部による前記焦点調節の後の被写界深度が所定値以下、
である場合に前記再度算出する旨を判定することを特徴とする撮像装置。
【発明の詳細な説明】
【技術分野】
【０００１】
本発明は、撮像装置に関する。
【背景技術】
【０００２】
シャッターボタン半押し操作が行われるとＡＦ（オートフォーカス）用の露出制御値によりＡＦ調節を行い、シャッターボタン全押し操作が行われると記録用の露出制御値により画像を取得するカメラが知られている（特許文献１参照）。カメラは通常、ライブビュー表示を行う撮影待機状態においてＡＦ用の露出制御値および記録用の露出制御値を算出してＲＡＭに保存しておき、シャッターボタン全押し操作されるとＲＡＭに保存しておいた露出制御値を用いて画像を取得する。ただし、撮影待機状態において取得した測光値が所定値より大きい場合には、シャッターボタン全押し操作後に記録用の露出制御値を得るための再測光を行う。
【先行技術文献】
【特許文献】
【０００３】
【特許文献１】特開２００３−２５９２０１号公報
【発明の概要】
【発明が解決しようとする課題】
【０００４】
しかしながら、撮影待機状態において取得した測光値の大小にかかわらず、記録用の露出制御値を見直したい場合がある。
【課題を解決するための手段】
【０００５】
本発明による撮像装置は、撮像光学系を通して被写体像を撮像する撮像部と、撮像光学系の焦点調節状態を検出し、焦点位置へ撮像光学系の駆動を指示する焦点調節制御部と、焦点調節制御部による焦点調節の前に被写体輝度に基づいて撮影用の露出制御値および焦点調節用の露出制御値をそれぞれ算出する露出演算部と、焦点調節用の露出制御値を適用して焦点調節を行うように焦点調節制御部を制御するとともに、撮影用の露出制御値を適用して画像を取得するように撮像部を制御する制御部と、撮影指示に応じて撮影用の露出制御値を再度算出するか否かを判定する判定部と、を備え、制御部は、判定部によって再度算出する旨の判定がなされた場合は、焦点調節の後に露出演算部が算出した撮影用の露出制御値を適用して撮像部に画像を取得させることを特徴とする。
【発明の効果】
【０００６】
本発明によれば、撮影指示後における記録用の露出制御値を適切に見直すことができる。
【図面の簡単な説明】
【０００７】
【図１】本発明の一実施の形態によるデジタルカメラの構成を例示するブロック図である。
【図２】デジタルカメラの制御部が実行する処理の流れを説明するフローチャートである。
【発明を実施するための形態】
【０００８】
以下、図面を参照して本発明を実施するための形態について説明する。図１は、本発明の一実施の形態によるデジタルカメラ１００の構成を例示するブロック図である。デジタルカメラ１００は、カメラ本体１００Ａと、カメラ本体１００Ａに対して着脱可能な撮影レンズ１００Ｂとで構成される。
【０００９】
図１において、カメラ本体１００Ａは、シャッタ７と、シャッタ駆動部８と、ドライバ９と、撮像素子１０と、画像処理部１１と、画像記憶部１２と、表示部１３と、露出制御部１４と、測光演算部１５と、通信部１６と、ＡＦ制御部１７と、操作部材１８と、制御部１９と、を含む。また、撮影レンズ１００Ｂは、撮像光学系１と、絞り２と、絞り駆動部３と、ドライバ４と、レンズ制御部５と、レンズ通信部６と、を含む。
【００１０】
撮像光学系１は、被写体像を撮像素子１０上に結像させる。絞り２は、撮像素子１０へ入射する被写体光量を調節する虹彩絞りである。絞り駆動部３は、絞り２の開口径を変化させる。ドライバ４は、レンズ制御部５から送出される絞り駆動信号に応じて、絞り駆動部３を駆動する。ドライバ４はさらに、レンズ制御部５から送出されるレンズ駆動信号に応じて、撮像光学系１を構成する不図示のフォーカシングレンズやズームレンズを駆動する。
【００１１】
レンズ制御部５は、レンズ通信部６を介してカメラ本体１００Ａ側からの絞り駆動指示を受けると、ドライバ４へ絞り駆動信号を送出する。また、レンズ制御部５は、レンズ通信部６を介してカメラ本体１００Ａ側からのレンズ駆動指示を受けると、ドライバ４へレンズ駆動信号を送出する。レンズ通信部６は、不図示のレンズマウントに設けられた通信端子を介して、カメラ本体１００Ａの通信部１６と通信を行う。
【００１２】
シャッタ７は、撮像素子１０の露光時間を制御する。なお、撮像素子１０の露光時間は、撮像素子１０における電荷蓄積時間を制御する方式（いわゆる電子シャッタ制御）によっても制御可能に構成されている。シャッタ駆動部８は、シャッタ７を開閉駆動する。ドライバ９は、制御部１９から送出されるシャッタ駆動信号に応じて、シャッタ駆動部８を駆動する。電子シャッタ制御により撮像素子１０の露光時間が制御される場合は、ドライバ９が撮像素子１０へ必要なタイミング制御信号を供給する。
【００１３】
撮像素子１０は、ＣＭＯＳイメージセンサなどによって構成される。撮像素子１０は、撮像面上に結像された被写体像を光電変換し、画像信号を出力する。画像処理部１１は、撮像素子１０から読み出され、不図示のＡ／Ｄ変換部でデジタル信号に変換された画像信号に対して所定の画像処理を行う。画像処理部１１はさらに、画像処理後の画像データに基づく再生画像を表示部１３に表示させるためのリサイズ処理などを行う。
【００１４】
画像記憶部１２は、制御部１９からの指示に基づいて画像ファイルを不図示の記録媒体に記録したり、記録媒体に記録されている画像ファイルを読出したりする。記録媒体は、例えば、図示しないカードスロットに着脱自在に取り付けられるメモリカードによって構成される。
【００１５】
表示部１３は液晶パネルによって構成される。表示部１３は、ライブビュー画像や再生画像、メニュー画面などを表示する。ここで、ライブビュー画像はプレビュー画像とも呼ばれ、撮像素子１０によって所定のフレームレート（例えば６０ｆｐｓ）で取得されるモニタ用の画像をいう。測光演算部１５は、画像信号に基づいて被写体の明るさ情報（Ｂｖ値）を検出する。露出制御部１４は、Ｂｖ値と、露出制御部１４内に格納されているプログラム線図の情報とに基づいて、絞り値Ａｖ、シャッタ速度Ｔｖ、および感度Ｓｖを決定する。感度は、撮像素子１０における光電変換時の感度であり、ＩＳＯ感度とも呼ばれる。
【００１６】
ＡＦ制御部１７は、撮像光学系１による焦点調節状態を検出する。ＡＦ制御部１７は、例えば、設定されているＡＦエリア内における被写体像のコントラストを最大にする位置（焦点位置）へ撮像光学系１を構成する不図示のフォーカシングレンズを移動させるＡＦ駆動処理を担う。通信部１６は、制御部１９からの指示に応じて、撮影レンズ１００Ｂのレンズ通信部６と通信を行う。
【００１７】
制御部１９は、制御プログラムを実行し、デジタルカメラ１００の各部に対する種々の制御を行う。絞り２に対する駆動指示は、操作部材１８を構成する不図示のコマンドダイヤルからの操作信号、または上記露出制御部１４による決定値に基づいて、制御部１９が通信部１６を介して指示する。また、ズームレンズに対する駆動指示は、操作部材１８を構成する不図示のズームスイッチからの操作信号に基づいて、制御部１９が通信部１６を介して指示する。
【００１８】
操作部材１８は、電源スイッチ、シャッターボタン、ズームスイッチ、およびコマンドダイヤルなどを含み、各操作に応じた操作信号を制御部１９へ送出する。コマンドダイヤルは、絞り値やシャッタ速度を手動で設定するためのダイヤルである。
【００１９】
上記のデジタルカメラ１００は、シャッターボタン半押し操作が行われるとＡＦ（オートフォーカス）用の露出制御値により得られる画像信号に基づいてＡＦ調節を行い、シャッターボタン全押し操作が行われると記録用の露出制御値により得られる画像のデータを記録する。デジタルカメラ１００は通常、ライブビュー表示を行う撮影待機状態において記録用の露出制御値を算出しておき、この露出制御値を用いて記録用の画像を取得する。ここで、フォーカス調節の前後で露出が大きく異なることが想定される場合には、シャッターボタン全押し操作後に再測光を行うことによって記録用の露出制御値を算出し、再測光で得た露出制御値を用いて記録用の画像を取得する。
【００２０】
＜フローチャートの説明＞
図２は、本実施形態によるデジタルカメラ１００の制御部１９が実行する処理の流れを説明するフローチャートである。制御部１９は、例えば焦点調節モードがＡＦモードに設定された場合に図２による処理を起動させる。図２の処理を行うプログラムは、制御部１９内の不揮発性メモリ１９ａに格納されている。
【００２１】
図２のステップＳ１０において、制御部１９は、ライブビュー画像の表示を開始させてステップＳ２０へ進む。これにより、撮像素子１０によって所定のフレームレート（例えば６０ｆｐｓ）で撮像されたライブビュー画像が、表示部１３に逐次表示される。
【００２２】
ステップＳ２０において、制御部１９は、測光演算部１５に測光演算を行わせてステップＳ３０へ進む。これにより、測光演算部１５がライブビュー画像の信号に基づいて被写体の明るさ情報（Ｂｖ値）を検出する。ステップＳ３０において、制御部１９は、露出制御部１４に露出演算を行わせてステップＳ４０へ進む。これにより、露出制御部１４が、Ｂｖ値および所定のプログラム線図に基づいて記録用（後述するステップＳ１６０において適用予定）の露出制御値として、絞り値Ａｖ、シャッタ速度Ｔｖ、および感度Ｓｖを決定する。
【００２３】
ステップＳ４０において、制御部１９はシャッターボタンが半押し操作されたか否かを判定する。制御部１９は、操作部材１８から半押し操作信号が送出された場合にステップＳ４０を肯定判定してステップＳ４５へ進み、半押し操作信号が操作部材１８から送出されない場合には、ステップＳ４０を否定判定してステップＳ２０へ戻る。ステップＳ２０へ戻る場合は、ライブビュー画像を取得、表示しながら、測光演算および露出演算を繰り返す。
【００２４】
ステップＳ４５において、制御部１９は、通信部１６を介して撮影レンズ１００Ｂからレンズ情報（絞り２の絞り値情報、フォーカシングレンズの位置情報およびズームレンズの位置情報）を取得してステップＳ５０へ進む。ここで、ズームレンズの位置は焦点距離に対応し、絞り値およびズームレンズの位置は、被写界深度に対応する。
【００２５】
ステップＳ５０において、制御部１９は、レンズ情報に基づいて焦点距離を算出してステップＳ６０へ進む。レンズ情報と焦点距離との関係は、あらかじめ不揮発性メモリ１９ａに記録されている。ステップＳ６０において、制御部１９は露出制御部１４にＡＦ用露出制御を行わせる。これにより、露出制御部１４が、直近に取得されたライブビュー画像のうちＡＦエリアに含まれる画像の信号に基づくＢｖ値と、露出制御部１４内に格納されているＡＦ用制御情報とに基づいて、ＡＦ用の露出制御値として、ＡＦ用の絞り値ＡｖおよびＡＦ用のシャッタ速度Ｔｖを決定してステップＳ７０へ進む。本例ではＡＦ用感度Ｓｖと記録用感度Ｓｖは同じとする。
【００２６】
ステップＳ７０において、制御部１９はＡＦ駆動処理を指示する。具体的には、通信部１６へ指示を送って絞り２をＡＦ用の絞り値ＡＶへ駆動させるとともに、ＡＦ制御部１７へ指示を送ってＡＦ用のシャッタ速度ＴｖにてＡＦ駆動処理を行わせてステップＳ８０へ進む。ＡＦ制御部１７が発するフォーカシングレンズの駆動指示は、制御部１９および通信部１６を介して撮影レンズ１００Ｂへ送信される。
【００２７】
ステップＳ８０において、制御部１９は合焦判定を行う。制御部１９は、ＡＦ制御部１７によるＡＦ駆動処理中においてコントラストの状態を示す焦点評価値が所定の許容範囲内に収まった場合にステップＳ８０を肯定判定してステップＳ９０へ進み、上記焦点評価値が上記許容範囲から外れている場合にはステップＳ８０を否定判定してステップＳ２００へ進む。
【００２８】
ステップＳ９０において、制御部１９は、シャッターボタンが全押し操作されたか否かを判定する。制御部１９は、操作部材１８から全押し操作信号が送出された場合にステップＳ９０を肯定判定してステップＳ１００へ進み、全押し操作信号が操作部材１８から送出されない場合には、ステップＳ９０を否定判定してステップＳ１８０へ進む。
【００２９】
ステップＳ１８０へ進む場合は、合焦後にライブビュー表示を続けながら撮影指示（シャッターボタンの全押し操作）を待つ場合である。制御部１９は、測光演算部１５に測光演算を行わせてステップＳ１９０へ進む。これにより、測光演算部１５が直近のライブビュー画像の信号に基づいて被写体の明るさ情報（Ｂｖ値）を検出する。ステップＳ１９０において、制御部１９は、露出制御部１４に露出演算を行わせてステップＳ９０へ戻る。これにより、露出制御部１４が、Ｂｖ値および所定のプログラム線図の情報に基づいて記録用（後述するステップＳ１６０において適用予定）の露出制御値として、絞り値Ａｖ、シャッタ速度Ｔｖ、および感度Ｓｖを決定する。
【００３０】
ステップＳ１００において、制御部１９は、通信部１６を介して撮影レンズ１００Ｂからレンズ情報（合焦後の情報）を取得してステップＳ１１０へ進む。ステップＳ１１０において、制御部１９は、レンズ情報に基づいて被写界深度を算出してステップＳ１２０へ進む。ステップＳ１２０において、制御部１９は、レンズ情報に基づいて焦点距離を算出してステップＳ１３０へ進む。
【００３１】
ステップＳ１３０において、制御部１９は再測光が必要か否かを判定する。制御部１９は、（イ）合焦後において測光演算（Ｓ１８０）および露出演算（Ｓ１９０）を行っていない場合（レリーズボタンの半押し操作と全押し操作とが連続して行われる、いわゆる一気押し操作が行われた場合）であって、（ロ）被写界深度が所定値（例えば５０cm）以下であり、かつ、（ハ）ステップＳ５０とステップＳ１２０との間で焦点距離に差が生じた（変化した）場合に再測光が必要と判断し、ステップＳ１３０を必要判定してステップＳ１４０へ進む。
【００３２】
一方、制御部１９は、（ニ）合焦後において測光演算（Ｓ１８０）および露出演算（Ｓ１９０）を行っている場合、または（ホ）合焦後において測光演算（Ｓ１８０）および露出演算（Ｓ１９０）を行っていない場合（上記一気押し操作が行われた場合）であって、被写界深度が上記所定値を超えている場合、または（ヘ）合焦後において測光演算（Ｓ１８０）および露出演算（Ｓ１９０）を行っていない場合（上記一気押し操作が行われた場合）であって、ステップＳ５０とステップＳ１２０との間で焦点距離に差が生じていない（変化がない）場合は、再測光が不要と判断し、ステップＳ１３０を不要判定してステップＳ１６０へ進む。不要判定する場合は、ステップＳ３０またはステップＳ１９０において決定した記録用の絞り値Ａｖ、シャッタ速度Ｔｖ、および感度ＳｖをステップＳ１６０において適用する。
【００３３】
ステップＳ１４０において、制御部１９は、測光演算部１５に新たに測光演算を行わせてステップＳ１５０へ進む。これにより、測光演算部１５が合焦後に取得されたライブビュー画像の信号に基づいて被写体の明るさ情報（Ｂｖ値）を検出する。ステップＳ１５０において、制御部１９は、露出制御部１４に露出演算を行わせてステップＳ１６０へ進む。これにより、露出制御部１４が、Ｂｖ値および所定のプログラム線図の情報に基づいて記録用の露出制御値として、絞り値Ａｖ、シャッタ速度Ｔｖ、および感度Ｓｖを決定する。
【００３４】
ステップＳ１６０において、制御部１９は、撮影処理を実行させてステップＳ１７０へ進む。制御部１９は、再測光した場合に最新の絞り値Ａｖ、シャッタ速度Ｔｖ、および感度Ｓｖを適用し、再測光しない場合にはステップＳ３０またはＳ１９０で決定された絞り値Ａｖ、シャッタ速度Ｔｖ、および感度Ｓｖを適用する。
【００３５】
ステップＳ１７０において、制御部１９は、電源オフ操作がなされたか否かを判定する。制御部１９は、電源オフ操作が行われた場合にステップＳ１７０を肯定判定して図２による処理を終了する。一方、制御部１９は、電源オフ操作が行われない場合は、ステップＳ１７０を否定判定してステップＳ２０へ戻る。ステップＳ２０へ戻る場合は上述した処理を繰り返す。
【００３６】
上述したステップＳ８０を否定判定して進むステップＳ２００において、制御部１９は、ＡＦ駆動終了か否かを判定する。制御部１９は、ＡＦ駆動終了後において焦点評価値が所定の許容範囲内に収まらない場合（合焦不能）、またはＡＦ駆動処理中においてシャッターボタンの押下操作が解除された場合は、ステップＳ２００を肯定判定してステップＳ１７０へ進む。一方、制御部１９は、ＡＦ駆動処理中において焦点評価値が所定の許容範囲内に収まっていない場合（ＡＦ処理途中）は、ステップＳ２００を否定判定してステップＳ７０へ戻り、上述した処理を繰り返す。
【００３７】
上述した実施の形態によれば、次の作用効果が得られる。
（１）デジタルカメラ１００は、撮像光学系１を通して被写体像を撮像する撮像素子１０と、撮像光学系１の焦点調節状態を検出し、焦点位置へフォーカシングレンズの駆動を指示するＡＦ制御部１７と、ＡＦ制御部１７による焦点調節の前に被写体輝度に基づいて記録用の露出制御値およびＡＦ用の露出制御値をそれぞれ算出する測光演算部１５、露出制御部１４と、ＡＦ用の露出制御値を適用して焦点調節を行うようにＡＦ制御部１７を制御するとともに、記録用の露出制御値を適用して画像を取得するように撮像素子１０を制御する制御部１９と、撮影指示に応じて記録用の露出制御値を再度算出するか否かを判定する制御部１９と、を備える。そして、制御部１９は、再度算出する旨を判定した場合は、焦点調節の後に測光演算部１５、露出制御部１４が算出した記録用の露出制御値を適用して撮像素子１０に画像を取得させるようにした。これにより、撮影指示後における記録用の露出制御値を適切に見直すことができる。例えばマクロレンズのように、焦点調節の前後で焦点距離が変化することに起因して焦点調節の前と後とで露出が変わってしまう場合でも、適正露出で記録用の画像を取得し得る。
【００３８】
（２）制御部１９は、シャッターボタンの半押し操作に応じて焦点調節を行うようにＡＦ制御部１７を制御するとともに、シャッターボタンの全押し操作に応じて画像を取得するように撮像素子１０を制御し、制御部１９は、シャッターボタンの全押し操作に応じて記録用の露出制御値を再度算出するか否かを判定する。これにより、適切なタイミングで焦点調節を行い、適切なタイミングで記録用の露出制御値を再度算出するか否かを判定できる。
【００３９】
（３）制御部１９は、シャッターボタンの半押し操作と全押し操作とが略同時になされる場合に、再度算出する旨を判定するので、シャッターボタンのいわゆる一気押し操作によって焦点調節の後にステップＳ１８０やＳ１９０で記録用の露出制御値が算出されていない場合において、確実に記録用の露出制御値を得ることができる。これにより、例えば焦点調節の前と後とで露出が変わってしまう場合でも、適正露出で記録用の画像を取得し得る。
【００４０】
（４）制御部１９は、ＡＦ制御部１７による焦点調節の前後における撮像光学系１の焦点距離の変化に応じて再度算出する旨を判定するので、いわゆる一気押し操作によって焦点調節の後にステップＳ１８０やＳ１９０で記録用の露出制御値が算出されていない場合において、確実に記録用の露出制御値を得ることができる。これにより、焦点調節の前と後とで焦点距離の変化に起因して露出が変わってしまう場合でも、適正露出で記録用の画像を取得し得る。
【００４１】
（５）制御部１９は、ＡＦ制御部１７による焦点調節後における被写界深度に応じて再度算出する旨を判定するので、いわゆる一気押し操作によって焦点調節の後にステップＳ１８０やＳ１９０で記録用の露出制御値が算出されていない場合において、確実に記録用の露出制御値を得ることができる。これにより、焦点調節後の被写界深度が狭く、ピントがはずれてしまうことに起因して露出が変わってしまう場合でも、適正露出で記録用の画像を取得し得る。
【００４２】
（６）制御部１９は、シャッターボタンの半押し操作と全押し操作とが略同時になされ、かつＡＦ制御部１７による焦点調節の前後で撮像光学系１の焦点距離が変化し、かつＦ制御部１７による焦点調節の後の被写界深度が５０cm値以下、である場合に再度算出する旨を判定するようにした。これにより、適正露出で記録用の画像を取得し得る。
【００４３】
次のような変形も本発明の範囲内であり、変形例の一つ、もしくは複数を上述の実施形態と組み合わせることも可能である。
（変形例１）
上述したＡＦ駆動処理（Ｓ７０）において行う自動焦点検出方式としてコントラスト検出方式を例示したが、位相差検出方式であってもよい。位相差検出方式は、撮像光学系１の異なる領域を介して入射された一対のフォーカス検出用光束による像の位相差に基づいてデフォーカス量を検出する方式である。この方式では、位相差検出用センサの異なる位置に設けられたフォーカス検出用画素列でそれぞれ撮像される一対の像の相対位置ずれ量（相対間隔）に基づいて、合焦に必要なフォーカシングレンズの移動量が算出される。なお、位相差検出用センサはフォーカス検出用画素列を備えた専用センサでもよいし、フォーカス検出用画素列を含む撮像素子１０を用いてもよい。
【００４４】
（変形例２）
上記実施形態においてレンズ交換式のカメラを例に説明したが、レンズ一体型のカメラであっても構わない。
【００４５】
（変形例３）
上述した説明では、制御部１９がシャッターボタンの全押し操作を撮影指示として扱う例を述べたが、シャッターボタンの押下操作に限らず、例えばリモコン送信機などの外部機器から送信される信号を撮影指示として扱う構成にしても構わない。制御部１９は、外部機器における半押し操作を示す信号と、外部機器における全押し操作を示す信号とを連続して受信した場合に、いわゆる一気押し操作に該当すると判断する。
【００４６】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００４７】
１…撮像光学系
２…絞り
１０…撮像素子
１３…表示部
１４…露出制御部
１５…測光演算部
１７…ＡＦ制御部
１８…操作部材
１９…制御部
１００…デジタルカメラ
１００Ａ…カメラ本体
１００Ｂ…撮影レンズ
【図１】
2015162725.tif 000003
【図２】
2015162725.tif 000004